(57)【要約】【課題】  風呂敷やエプロンなど日常用品としての用途を有する紐付きシートを提供する。【解決手段】  紐付きシート１０は、折り曲げ自在の方形の布体部１３と、布体部１３において相互に隣り合って配置されるいずれか２つの角部１３ａ，１３ｂのそれぞれに設けられる環状の連結部１４ａ，１４ｂとにより構成されるシート部材１１と、連結部１４ａ，１４ｂに挿通される紐部材１２とを有している。紐付きシート１０は、風呂敷として使用することができる一方で、連結部１４ａ，１４ｂの少なくとも１つに紐部材１２を挿通し、紐部材１２を身体の一部に着脱自在に取り付けることによって、外側からの汚れが衣服に付着するのを防止するエプロンやナフキンとして使用することができる。【選択図】  図３
2006044745.tif 000002
【特許請求の範囲】
【請求項１】
折り曲げ自在の方形の布体部と、前記布体部において相互に隣り合って配置されるいずれか２つの角部のそれぞれに設けられる環状の連結部とにより構成されるシート部材と、
前記連結部に挿通される紐部材とを有し、
風呂敷として使用する一方で、前記連結部の少なくとも１つに前記紐部材を挿通し、前記紐部材を身体の一部に着脱自在に取り付けることによって、外側からの汚れが衣服に付着するのを防止することを特徴とする紐付きシート。
【請求項２】
請求項１記載の紐付きシートにおいて、前記紐部材を前記連結部の両方に挿通するとともに、前記シート部材を腹側に当て、前記紐部材を腰に巻き付けることによって、エプロンとして使用することを特徴とする紐付きシート。
【請求項３】
請求項１記載の紐付きシートにおいて、前記紐部材を前記連結部の少なくとも１つに挿通するとともに、前記シート部材を胸に当て、前記紐部材の端部を首に掛け渡し相互に結び付けることによって、ナフキンまたは涎掛けとして使用することを特徴とする紐付きシート。
【請求項４】
請求項１〜３のいずれか１項に記載の紐付きシートにおいて、リング状に折り曲げられた帯紐の両端部を前記角部に縫い付けることによって前記連結部を設けることを特徴とする紐付きシート。
【請求項５】
請求項１〜３のいずれか１項に記載の紐付きシートにおいて、貫通孔を前記角部に形成することによって前記連結部を設けることを特徴とする紐付きシート。
【請求項６】
請求項１〜４のいずれか１項に記載の紐付きシートにおいて、前記シート部材には防水加工が施されていることを特徴とする紐付きシート。
【発明の詳細な説明】
【技術分野】
【０００１】
本発明は、風呂敷やエプロンなど日常用品としての用途を有する紐付きシートに関する。
【背景技術】
【０００２】
風呂敷といえば物を包むのに用いる方形の布切れであり、果物籠やお菓子などの贈答品をはじめ、書籍や衣類などを物品の形状に拘わらず包むことができ、風呂敷の角部を交差し相互に結び付けることにより形成される結び目を携帯搬送時の掴み部とすることができ、使用しないときには小さく折り畳んでコンパクトに収納できるという特徴を有している。
【発明の開示】
【発明が解決しようとする課題】
【０００３】
生活環境の変化にともなって、風呂敷を使用する機会は減少している一方で、風呂敷の有用性に変化はないことから、包装具、収納具および搬送具としての用途以外にも実用的な他の用途を有する風呂敷があれば大変有用である。本願に係る発明者は、風呂敷状のシート部材と紐部材とを効果的に組み合わせることによって、風呂敷としての用途を損なうことなく、エプロンやナフキンなど日常用品としての他の用途を有する紐付きシートを開発した。
【０００４】
本発明の目的は、風呂敷やエプロンなど日常用品としての用途を有する紐付きシートを提供することにある。
【課題を解決するための手段】
【０００５】
本発明の紐付きシートは、折り曲げ自在の方形の布体部と、前記布体部において相互に隣り合って配置されるいずれか２つの角部のそれぞれに設けられる環状の連結部とにより構成されるシート部材と、前記連結部に挿通される紐部材とを有し、風呂敷として使用する一方で、前記連結部の少なくとも１つに前記紐部材を挿通し、前記紐部材を身体の一部に着脱自在に取り付けることによって、外側からの汚れが衣服に付着するのを防止することを特徴とする。
【０００６】
本発明の紐付きシートは、前記紐部材を前記連結部の両方に挿通するとともに、前記シート部材を腹側に当て、前記紐部材を腰に巻き付けることによって、エプロンとして使用することを特徴とする。
【０００７】
本発明の紐付きシートは、前記紐部材を前記連結部の少なくとも１つに挿通するとともに、前記シート部材を胸に当て、前記紐部材の端部を首に掛け渡し相互に結び付けることによって、ナフキンまたは涎掛けとして使用することを特徴とする。
【０００８】
本発明の紐付きシートは、リング状に折り曲げられた帯紐の両端部を前記角部に縫い付けることによって前記連結部を設けることを特徴とする。
【０００９】
本発明の紐付きシートは、貫通孔を前記角部に形成することによって前記連結部を設けることを特徴とする。
【００１０】
本発明の紐付きシートは、前記シート部材には防水加工が施されていることを特徴とする。
【発明の効果】
【００１１】
本発明によれば、紐付きシートを風呂敷として使用したり、シート部材に設けられた連結部の少なくとも１つに紐部材を挿通し、紐部材を身体の一部に着脱自在に取り付けることによって、衣服への汚れの付着を防ぐためのエプロンやナフキンなどとして使用したりすることができる。
【００１２】
紐付きシートを風呂敷として使用する場合にあっては、シート部材に設けられた連結部の少なくとも１つに紐部材を挿通するとともに、その紐部材を風呂敷として物品を包み込むシート部材に巻き付けることによって、折り曲げられたシート部材の型崩れを防ぐことができる。
【００１３】
本発明によれば、シート部材に防水加工を施すことによって、シート部材に付着した液体が内側にしみ込んで、衣服などの物品が汚れることを防ぐことができる。
【発明を実施するための最良の形態】
【００１４】
以下、本発明の実施の形態を図面に基づいて詳細に説明する。
【００１５】
図１（ａ）は一実施の形態である紐付きシートの表面側の全体構成を示す正面図であり、図１（ｂ）は図１（ａ）に示されたＡ部の裏面側を拡大して示す説明図である。なお、図中の破線はシート部材の縫い目を示している。紐付きシート１０は、風呂敷状のシート部材１１と紐部材１２とを組み合わせることによって、風呂敷をはじめ、エプロンやナフキンなど日常用品として種々の用途を有する家庭用品である。
【００１６】
図１（ａ）に示されるように、シート部材１１は、方形の布体部１３と、その布体部１３において相互に隣り合って配置される２つの角部１３ａ，１３ｂのそれぞれに設けられる環状の連結部１４ａ，１４ｂとにより構成されている。布体部１３は折り曲げ自在の一枚の布切れであり、その表面またはその両面には防水加工が施されている。シート部材１１の寸法は、紐付きシート１０の用途に合わせて調整され、例えば、紐付きシート１０の用途として大人用のエプロンを想定する場合にあっては、１辺あたり約６５ｃｍ程度の寸法に設定される。なお、シート部材１１は正方形状のものに限られることなく、各辺の長さを異ならせても良い。このようなシート部材１１は、紐部材１２の有無に拘わらず、包装具、収納具および搬送具などの用途を有する風呂敷として使用することができる。
【００１７】
図１（ｂ）に示されるように、連結部１４ａは、シート部材１１と同一の素材（例えば、ポリエステル）により形成される扁平な帯紐１５をリング状に折り曲げ、その両端部をシート部材１１の角部１３ａに縫い付けることによって設けられている。なお、図示される場合にあっては、シート部材１１の角部１３ａから連結部１４ａの先端が突出するように帯紐１５が縫い付けられているが、連結部１４ａの先端がシート部材１１の面内に配置されるように縫い付けても良い。帯紐１５に変えて、リング状に加工された金具を用いても良い。
【００１８】
図２は他の実施の形態である紐付きシートの表面側の全体構成を示す正面図である。なお、図１に示される部材と同様の部材には同一の符号が付されている。図２に示されるように、角部１３ａ，１３ｂのそれぞれに貫通孔１６ａ，１６ｂを形成することによってシート部材１１の角部１３ａ，１３ｂに連結部１４ａ，１４ｂを設けるようにしても良い。
【００１９】
これらの連結部１４ａ，１４ｂには、紐部材１２を挿通させることができる。紐部材１２としては丸紐や扁平な帯紐など種々の形状のものを用いることができ、その寸法は紐付きシート１０の用途に合わせて調整され、例えば、紐付きシート１０の用途として大人用のエプロンを想定する場合にあっては、約１ｍの寸法に設定することができる。
【００２０】
図３は図１に示される紐付きシートの一実施の形態を示す説明図であり、図３（ａ）および図３（ｂ）は紐部材の挿通状態の説明図であり、図３（ｃ）および図３（ｄ）はエプロンとしての使用状態の説明図である。なお、図１に示される部材と同様の部材には同一の符号が付されている。上述の通り、紐付きシート１０は風呂敷として使用することができる一方で、連結部１４ａ，１４ｂの少なくとも１つに紐部材１２を挿通し、紐部材１２を身体の一部に着脱自在に取り付けることによって、外側からの汚れが衣服に付着するのを防ぐための家庭用品として紐付きシート１０を使用することができる。
【００２１】
図３に示される場合にあっては、同図（ａ）および同図（ｂ）に示されるように、紐部材１２を連結部１４ａ，１４ｂの両方に挿通するとともに、同図（ｃ）および同図（ｄ）に示されるように、シート部材１１を腹側に当て、紐部材１２を腰に巻き付けることによって、紐付きシート１０をエプロンとして使用することができる。ここで、図３（ａ）に示されるように、長尺の紐部材１２を連結部１４ａ，１４ｂのそれぞれに挿通させるようにしても良く、図３（ｂ）に示されるように、２本の紐部材１２ａ，１２ｂを連結部１４ａ，１４ｂのそれぞれに結び付けるようにしても良い。これにより、紐付きシート１０を下半身のみを覆うエプロンとして使用することができる。シート部材１１の少なくとも表面には防水加工が施されているので、エプロンに付着した液状の汚れが内側にしみ込んで衣服を汚すことはない。
【００２２】
図４は図１に示される紐付きシートの一実施の形態を示す説明図であり、図４（ａ）は紐部材の挿通状態の説明図であり、図４（ｂ）はナフキンまたは涎掛けとしての使用状態の説明図である。なお、図１に示される部材と同様の部材には同一の符号が付されている。
【００２３】
図４（ａ）に示されるように、紐部材１２を連結部１４ａの１つに挿通するとともに、同図（ｂ）に示されるように、シート部材１１を胸に当て、紐部材１２の両端部を首に掛け渡し相互に結び付けることによって、紐付きシート１０をナフキンまたは涎掛けとして使用することができる。この場合には、連結部１４ａ，１４ｂのいずれか一方を省略することができる。なお、図３（ａ）および図３（ｂ）に示されるように、紐部材１２を連結部１４ａ，１４ｂの両方に挿通するとともに、シート部材１１を胸に当て、紐部材１２の端部を首に掛け渡し相互に結び付けることによって、紐付きシート１０をナフキンまたは涎掛けとして使用するようにしても良い。
【００２４】
本発明は前記実施の形態に限定されるものではなく、その要旨を逸脱しない範囲で種々変更可能である。たとえば、紐付きシート１０の用途は、シート部材１１や紐部材１２の寸法によって変わり、例えば、シート部材１１の寸法を１辺あたり約３０ｃｍ程度に設定すれば、子供用の下半身用エプロンとしても、大人用のナフキンとしても使用することができる。
【図面の簡単な説明】
【００２５】
【図１】（ａ）は一実施の形態である紐付きシートの表面側の全体構成を示す正面図であり、（ｂ）は（ａ）に示されたＡ部の裏面側を拡大して示す説明図である。
【図２】他の実施の形態である紐付きシートの表面側の全体構成を示す正面図である。
【図３】図１に示される紐付きシートの一実施の形態を示す説明図であり、（ａ）および（ｂ）は紐部材の挿通状態の説明図であり、（ｃ）および（ｄ）はエプロンとしての使用状態の説明図である。
【図４】図１に示される紐付きシートの一実施の形態を示す説明図であり、（ａ）は紐部材の挿通状態の説明図であり、（ｂ）はナフキンまたは涎掛けとしての使用状態の説明図である。
【符号の説明】
【００２６】
１０  紐付きシート
１１  シート部材
１２  紐部材
１３  布体部
１３ａ，１３ｂ  角部
１４ａ，１４ｂ  連結部
１５  帯紐
１６ａ，１６ｂ  貫通孔
【図１】
2006044745.tif 000003
【図２】
2006044745.tif 000004
【図３】
2006044745.tif 000005
【図４】
2006044745.tif 000006